(57)【要約】【課題】  乱流化を抑えつつ二次空気と燃焼ガスとの混合促進を図り得る具体的構成を備えた二段燃焼装置を提供する。【解決手段】  過濃混合気を燃焼させる複数の燃焼管６１で構成した燃焼部６に対し、複数の二次空気噴出管８１で構成した二次空気噴出部８を燃焼室２１の下流側で相対向させる。相隣接する二次空気噴出管間に狭窄部２１１を形成し、これに相対向して一次火炎９１が形成されるように各燃焼管を配設する。狭窄部を挟んで両側の二次空気噴出管の噴出口８１３から狭窄部を通過する燃焼ガスに二次空気を吹き出させて二次燃焼させる。各二次空気噴出管を熱交換器７のフィン７１や水管７２と結合させて伝熱により冷却されるようにする。【選択図】      図２
2005188838.tif 000002
【特許請求の範囲】
【請求項１】
燃焼室と、この燃焼室に向けて空気濃度が理論燃焼空気量よりも低く燃料濃度の高い過濃混合気を燃焼させる燃焼部と、この燃焼部よりも下流側位置の燃焼室内に設けられ二次空気を吹き出させる二次空気噴出部とを備え、上記燃焼部において上記過濃混合気を一次燃焼させる一方、この一次燃焼により生じる燃焼ガスに対し上記二次空気噴出部から二次空気を吹き付けて二次燃焼させるように構成された二段燃焼装置であって、
上記燃焼部は上記燃焼室に臨んでそれぞれ列をなして並列に配設された複数の燃焼管により構成される一方、上記二次空気噴出部はそれぞれ多数の噴出口を有する複数の二次空気噴出管により構成され、
上記複数の二次空気噴出管は、上記燃焼室を横切るように上記複数の燃焼管と平行に延び、かつ、相隣接する二次空気噴出管同士の間に燃焼室下流側に向かう燃焼ガスを通過させる狭窄部が形成されるように配設され、
上記各二次空気噴出管の噴出口は二次空気が上記狭窄部に向けて吹き出されるように開口されている
ことを特徴とする二段燃焼装置。
【請求項２】
請求項１に記載の二段燃焼装置において、
上記狭窄部が上記各燃焼管と相対向して形成されるように上記各二次空気噴出管は相隣接する燃焼管同士の間と相対向するように位置付けられている、二段燃焼装置。
【請求項３】
請求項１又は請求項２に記載の二段燃焼装置において、
上記燃焼室の下流側位置には燃焼により生じる熱を吸熱する熱交換器が配設され、上記各二次空気噴出管は上記熱交換器と伝熱可能に互いに結合されている、二段燃焼装置。
【請求項４】
請求項３に記載の二段燃焼装置において、
上記熱交換器はフィンアンドチューブ型熱交換器により構成され、上記各二次空気噴出管は上記熱交換器の各フィンとロウ付けにより一体に組み付けられている、二段燃焼装置。
【請求項５】
請求項１〜請求項４のいずれかに記載の二段燃焼装置において、
燃焼室を構成する区画壁が、間に隙間を挟んで相対向する二重壁により構成され、
上記隙間は下流側において上記各二次空気噴出管と連通接続される一方、上流側が空気源から空気供給を受けるようにその空気源と連通接続されている、二段燃焼装置。
【発明の詳細な説明】
【技術分野】
【０００１】
本発明は、１段階目で過濃混合気を燃焼させ、この一次燃焼により生じる未燃成分を多く含む燃焼ガスに対し２段階目において二次空気を吹き出させて二次燃焼させることにより完全燃焼させるようにした二段燃焼装置に関し、特に吹き出させた二次空気と燃焼ガスとを両者の乱流化を防止しつつ十分な混合を図り低ＮＯx化を図るための技術に係る。
【背景技術】
【０００２】
従来、二段燃焼装置として、ボイラ火炉を対象としたものが知られている（例えば特許文献１参照）。このものには、ボイラ火炉の炎孔火炎から生じる燃焼ガス及び二次空気の混合促進を図るために、燃焼空間内の中央に障害物を設置し、この障害物により上記燃焼ガス及び二次空気の双方に渦流を発生させて積極的に乱流化させるようにすることが記載されている。
【０００３】
又、燃焼熱により熱交換器内の水を熱交換加熱するという給湯器等で採用される予混合燃焼装置において、二次空気を噴出させるものも知られている（例えば特許文献２参照）。このものには、予混合バーナの下流側の熱交換器のフィンに空気供給管を設け、この空気供給管から噴出させた二次空気により燃焼ガス温度を低下させてＣＯ生成量を低下させつつ燃焼ガス中のＣＯを酸化させることにより排出されるＣＯ濃度を下げるようにすることが記載されている。
【０００４】
【特許文献１】特開平１０−１６９９１０号公報
【特許文献２】実開昭６３−１８４３１９号公報
【発明の開示】
【発明が解決しようとする課題】
【０００５】
ところが、上記のボイラ火炉を対象とした二段燃焼装置においては、渦流の積極的形成により著しい燃焼騒音が発生することになる。ボイラ火炉であれば問題とはならないものの、このような技術を例えば給湯器等の燃焼騒音を極力抑制すべき燃焼装置に適用することはできない。
【０００６】
そこで、本出願人は、乱流化を抑えつつ二次空気と燃焼ガスとの混合促進を図ることにより、低騒音化を図りつつ未燃成分の完全燃焼化と低ＮＯx化とを実現させる二段燃焼装置を特願２００２−２５３５８４にて提案した。
【０００７】
しかしながら、かかる提案の二段燃焼装置をコンパクト化や耐久性に対し高い要求のある給湯器の燃焼装置として適用するには、さらに具体的な開発が要請されている。
【０００８】
本発明は、このような事情に鑑みてなされたものであり、その目的とするところは、乱流化を抑えつつ二次空気と燃焼ガスとの混合促進を図り得る具体的構成を備えた二段燃焼装置を提供することにある。
【課題を解決するための手段】
【０００９】
上記目的を達成するために、本発明では、燃焼室と、この燃焼室に向けて空気濃度が理論燃焼空気量よりも低く燃料濃度の高い過濃混合気を燃焼させる燃焼部と、この燃焼部よりも下流側位置の燃焼室内に設けられ二次空気を吹き出させる二次空気噴出部とを備え、上記燃焼部において上記過濃混合気を一次燃焼させる一方、この一次燃焼により生じる燃焼ガスに対し上記二次空気噴出部から二次空気を吹き付けて二次燃焼させるように構成された二段燃焼装置を対象として、次の特定事項を備えることを基本とした。すなわち、上記燃焼部として、上記燃焼室に臨んでそれぞれ列をなして並列に配設された複数の燃焼管により構成する一方、上記二次空気噴出部として、それぞれ多数の噴出口を有する複数の二次空気噴出管により構成する。そして、上記複数の二次空気噴出管として、上記燃焼室を横切るように上記複数の燃焼管と平行に延び、かつ、相隣接する二次空気噴出管同士の間に燃焼室下流側に向かう燃焼ガスを通過させる狭窄部が形成される配設とし、上記各二次空気噴出管の噴出口を二次空気が上記狭窄部に向けて吹き出されるように開口させることとした（請求項１）。
【００１０】
本発明の場合、燃焼部に対し二次空気噴出部が燃焼室の空間を挟んで下流側位置で相対向する配置となめるため、二段燃焼装置のコンパクト化を実現し得る。その上で、上記二次空気噴出部を構成する複数の二次空気噴出管の間に狭窄部を形成することが可能となるため、狭窄部を形成するための特別な構成要素が不要となる。また、上記複数の二次空気噴出管が並列配置の複数の燃焼管と平行に延びて相隣接する二次空気噴出管同士の間に上記狭窄部が形成されるため、つまり列をなす各燃焼管と平行に狭窄部が延びることになるため、各燃焼管で燃焼される過濃混合気による一次火炎から生成される未燃成分を多く含む燃焼ガスが上記狭窄部に向けて自然と流れる上に、その燃焼ガスが乱されることもない。このため、燃焼ガスを狭窄部に誘導するための特別な構成要素も不要となる。そして、この狭窄部を挟んで燃焼室を横切る側に隣接する両側の二次空気噴出管の各噴出口から上記狭窄部に向けて二次空気が吹き出されるため、上記狭窄部を通過する燃焼ガスに対しこの燃焼ガスの乱流化を抑制しつつも燃焼ガスの流れの内部まで二次空気を貫通させて燃焼ガスと二次空気との混合を促進させ得る。この混合促進により未燃成分の完全燃焼化が図られて低ＮＯx化が実現される。以上により燃焼ガスの乱流化の防止とその燃焼ガスに対する二次空気の混合促進との両立を図り得る二段燃焼装置の構成をよりコンパクトにかつより具体的に提供し得ることになる。
【００１１】
なお、「空気濃度が理論燃焼空気量よりも低く燃料濃度の高い過濃混合気」とは、空気過剰率が１．０未満であることであり、完全燃焼に必要な理論燃焼空気量よりも不足した空気量を含む過濃混合気に加え、空気量がゼロ、つまり空気を全く含まない燃料ガスそのものをも含む意である。
【００１２】
本発明においては、さらに、以下の如き種々の特定事項を選択的に追加することにより、より具体的な構成が得られ、より一層好ましい作用が得られる。
【００１３】
すなわち、第１としては、上記狭窄部が上記各燃焼管と相対向して形成されるように上記各二次空気噴出管を相隣接する燃焼管同士の間と相対向するように位置付けることができる（請求項２）。このようにすることにより、この狭窄部が上記燃焼部を構成する複数の燃焼管と相対向するため、各燃焼管での一次火炎から生成される未燃成分を多く含む燃焼ガスが上記狭窄部に向けて乱れることなくそのままストレートに流れることになり、並列配置の複数の燃焼管と、相隣接する二次空気噴出管同士の間の狭窄部との位置関係を最適化し得る。その上に、各二次空気噴出管を相隣接する燃焼管同士の間と相対向するように配設しているため、上記の狭窄部に向けての二次空気の吹き出しと相俟って、二次空気と一次火炎との直接の接触に起因するＮＯx増大化をより確実に回避して、低ＮＯx化をより一層確実に実現させ得ることになる。さらに、各二次空気噴出管が各燃焼管の一次火炎の延長上には位置しなくなるため、各二次空気噴出管が上記一次火炎により直接に炙られることを回避して各二次空気噴出管の熱的耐久性の早期の低下をも回避し得ることになる。
【００１４】
第２としては、上記燃焼室の下流側位置に、燃焼により生じる熱を吸熱する熱交換器を配設することとし、上記各二次空気噴出管を上記熱交換器と伝熱可能に互いに結合させることができる（請求項３）。つまり、各二次空気噴出管と上記熱交換器とを互いに熱的に連結させるのである。これにより、各二次空気噴出管自体が一次火炎からの放射熱や燃焼ガスとの接触により高温にさらされる環境におかれたとしても、その各二次空気噴出管の熱が上記熱交換器に対し伝熱されるため、各二次空気噴出管の過度の温度上昇が抑制され、その結果、内部の二次空気の過度の温度上昇も抑制されることになる。つまり、各二次空気噴出管内の二次空気が過度に温度上昇しないように各二次空気噴出管を冷却することが可能となる。このため、内部の二次空気が過度に温度上昇してしまい、そのような高温の二次空気が未燃成分を多く含む燃焼ガスに吹き出されて燃焼ガスが所定温度（例えば１５００℃）以上に上昇されてしまうことに伴い新たなＮＯx生成を誘発してしまうという事態の発生を阻止することが可能になる。これにより、二次燃焼空間の過度の温度上昇を確実に抑制して、過度の温度上昇に伴うＮＯx排出量増大のおそれを確実に回避させることが可能になると共に、二次空気噴出管自体の熱的耐久性を維持させ得ることになる。
【００１５】
なお、上記の熱交換器としてはフィンアンドチューブ型熱交換器により構成し、上記各二次空気噴出管を上記熱交換器の各フィンとロウ付けにより一体に組み付けるようにすることができる（請求項４）。このようにすることにより、各二次空気噴出管と熱交換器との熱的連結を簡易な構造により具体的に実現させ得る。
【００１６】
第３として、燃焼室を構成する区画壁を、間に隙間を挟んで相対向する二重壁により構成し、上記隙間を下流側において上記各二次空気噴出管と連通接続させる一方、上流側が空気源から空気供給を受けるようにその空気源と連通接続させることができる（請求項５）。このようにすることにより、燃焼室に面する側の区画壁部分が一次火炎の放射熱や燃焼ガスに晒されても背後の隙間を通る空気により冷却されるため、その熱的耐久性を高めることが可能になる一方、外部に面する側の区画壁部分が燃焼室内と上記隙間により隔てられかつその隙間に空気が流されるため、その区画壁部分の温度上昇を極めて低いものに抑えることが可能となって外表面に対し断熱材等の保護部材を配設する必要性を解消させることが可能になる。さらに、その上に、隙間を通して供給された空気がその隙間の下流側において連通接続された複数の二次空気噴出管に分配されることになるため、二次空気噴出管が複数あってもそれぞれに均一に二次空気を供給して各二次空気噴出管の噴出口から吹き出させることが可能になる。
【発明の効果】
【００１７】
以上、説明したように、請求項１〜請求項５のいずれかの二段燃焼装置によれば、複数の二次空気噴出管によって狭窄部を形成しているため、狭窄部を形成するための特別な構成要素を不要にすることができる上に、上記狭窄部として複数の二次空気噴出管を並列配置の複数の燃焼管と平行に延ばすことにより互いの間に形成されるようにしているため、各燃焼管で燃焼される過濃混合気による一次火炎から生成される未燃成分を多く含む燃焼ガスを上記狭窄部に向けて乱すことなく自然と流れるようにすることができ、燃焼ガスを狭窄部に誘導するための特別な構成要素も不要とすることができる。さらに、上記狭窄部を挟んで両側の二次空気噴出管の各噴出口からその狭窄部に向けて二次空気を吹き出すようにしているため、上記狭窄部を通過する燃焼ガスに対しこの燃焼ガスの乱流化を抑制しつつも燃焼ガスの流れの内部まで二次空気を貫通させて燃焼ガスと二次空気との混合を促進させることができ、この混合促進により未燃成分の完全燃焼化及び低ＮＯx化を図ることができる。以上により燃焼ガスの乱流化の防止とその燃焼ガスに対する二次空気の混合促進との両立を図りつつも、よりコンパクト化及びより具体化した構成の二段燃焼装置を提供することができる。
【００１８】
特に、請求項２によれば、並列配置の複数の燃焼管と、相隣接する二次空気噴出管同士の間の狭窄部との位置関係を最適化することができる。これにより、各燃焼管での一次火炎から生成される未燃成分を多く含む燃焼ガスを狭窄部に向けて乱れることなくそのままストレートに流すことができるようになる上に、二次空気と一次火炎との直接の接触に起因するＮＯx増大化をより確実に回避して低ＮＯx化をより一層確実に実現させることができる。しかも、各二次空気噴出管が一次火炎により直接に炙られることを回避して各二次空気噴出管の熱的耐久性の維持をも図ることができる。
【００１９】
請求項３によれば、各二次空気噴出管と、燃焼熱を吸熱するための熱交換器とを互いに熱的に連結させることにより、各二次空気噴出管自体の過度の温度上昇を抑制することができ、その熱的耐久性の維持を図ることができる上に、各二次空気噴出管内の二次空気の過度の温度上昇も抑制することができ、過度に温度上昇した二次空気の吹き出しに起因するＮＯx排出量増大のおそれを確実に回避することができる。そして、請求項４によれば、上記の各二次空気噴出管と熱交換器との熱的連結を簡易な構造により具体的に実現させることができる。
【００２０】
請求項５によれば、区画壁を二重壁により構成し内部の隙間に各二次空気噴出管に供給される二次空気用の空気を流すようにしているため、燃焼室に面する側の区画壁部分が高温に晒されたとしてもその区画壁部分を隙間内に流れる空気により冷却することができ、その熱的耐久性を高めることができる。併せて、外部に面する側の区画壁部分の温度上昇を極めて低いものに抑えることができ、断熱材等の保護部材を省略することができる。その上に、隙間の下流側に連通接続された複数の二次空気噴出管に対し均等に二次空気用の空気を供給させることができ、各二次空気噴出管からの二次空気の吹き出しを均等なものとすることができる。
【発明を実施するための最良の形態】
【００２１】
以下、本発明の実施形態を図面に基づいて説明する。
【００２２】
図１は、本発明の実施形態に係る二段燃焼装置をガス瞬間湯沸かし式の給湯器に適用した例を示す。同図において、符号１は空気源としての送風ファン、２は燃焼缶体、３は燃焼缶体２の上側に連結された熱交換缶体、４は排気筒、５は燃料ガス供給系である。上記燃焼缶体２内には上記熱交換缶体３内に連続する燃焼室２１が区画形成され、この燃焼室２１に臨んで下側位置には燃焼部６が配設されている。なお、上記燃焼室２１の下流側とは同図の上側となる。上記熱交換缶体３内には熱交換器７と二次空気噴出部８とが一体に組み付けられて配設されている。この熱交換器７はフィンアンドチューブ型に構成され、多数のフィン７１，７１，…に対し水管７２が複数回にわたり折り返されて貫通した状態でロウ付けされている。この水管７２の一端７２１側には水道水等が供給される入水管（図示省略）が接続され他端７２２側にはカラン等に延びる出湯管（図示省略）が接続される。ここで、上記二次空気噴出部８から見れば、熱交換器７内に通される加熱対象である水が冷却水の役割を果たすことになる。
【００２３】
上記燃焼部６は、図２にも示すように複数（同図例では３つ）の燃焼管６１，６１，…により構成されている。各燃焼管６１は互いに間隔を隔てて図１においては左右方向に、図２においては紙面に直交する方向に延びている。上記各燃焼管６１には上記燃料ガス供給系５からの燃料ガスと送風ファン１からの燃焼用空気とが所定の割合で混合されて空気過剰率が１．０（１００％）未満に設定された燃料濃度の高い過濃混合気が燃焼されるようになっており、この過濃混合気の一次燃焼により不完全燃焼火炎である一次火炎９１，９１，…（図２参照）が形成されるようになっている。
【００２４】
上記二次空気噴出部８は、燃焼室２１の上下流方向（図１及び図２の上下方向）に対し横切るように配設され、かつ、上記燃焼部６の下流側位置の燃焼室２１において燃焼部６と相対向するように配設されている。この二次空気噴出部８は、複数の（図２の例では４本）の二次空気噴出管８１，８１，…により構成されており、各二次空気噴出管８１は各下流端８１１（図１参照）が閉塞され、各上流端８１２側が送風ファン１から空気が供給されるように送風ファン１と接続されている。そして、上記各二次空気噴出管８１は熱交換器７の各フィン７１に貫通しかつ下側の水管７２と接触するように配設され、この状態で各フィン７１及び上記水管７２に対しロウ付けされて熱交換器７と一体に組み付けられている。つまり、各二次空気噴出管８１は各フィン７１及び水管７２に対し伝熱可能に連結されている。
【００２５】
又、上記各二次空気噴出管８１は、上記各燃焼管６１と平行に延びるように配設されている。つまり、各燃焼管６１が列をなして延びる方向と同じ方向に延びている。加えて、各二次空気噴出管８１は相隣接する２つの燃焼管６１，６１の間と相対向し、相隣接する２つの二次空気噴出管８１，８１の間にそれぞれ狭窄部２１１が形成され、この各狭窄部２１１が上記の個々の燃焼管６１と相対向することになるように配設されている。つまり、燃焼室２１が下流側において複数の狭窄部２１１に狭められることになり、各燃焼管６１から燃焼室２１に向けて延びる一次火炎９１の延長線上に上記狭窄部２１１が位置するようになっている。
【００２６】
そして、各二次空気噴出管８１の外周面には、図３に詳細を示すように多数の噴出口８１３，８１３，…が貫通形成され、これら噴出口８１３，８１３，…は内部の空気の大半が上記狭窄部２１１に向けて吹き出され、極一部が燃焼室２１の上流側（燃焼部６側）に向けて吹き出されるように開口されている。これにより、各狭窄部２１１に向けてこの各狭窄部２１１を挟む両側の二次空気噴出管８１，８１の噴出口８１３，８１３，…からそれぞれ内部の空気が二次空気として吹き出されるようになっている。
【００２７】
以上の二段燃焼装置においては、各燃焼管６１で過濃混合気の燃焼により不完全燃焼火炎である一次火炎９１が燃焼室２１下流側に向けて形成され、この一次火炎９１，９１，…から発生する未燃成分を多く含む燃焼ガス９２，９２，…が下流側（図２及び図３の上側）に向けてそのまま流れて狭窄部２１１，２１１，…に至ることになる。そして、この狭窄部２１１，２１１，…において、それぞれ燃焼ガス９２の流れ方向と直交する方向の両側から二次空気が吹き付けられて二次燃焼し、燃焼ガス中の未燃成分が完全燃焼されることになる。
【００２８】
このような二段燃焼において、各一次火炎９１が延びる方向の延長線上に狭窄部２１１が位置していることから上記各一次火炎９１から発生する燃焼ガス９２は乱されることなくかつ他の誘導のための構成要素を必要とすることなくそのまま狭窄部２１１に流れることになる。そして、狭窄部２１１の両側から二次空気が吹き出されるため、その二次空気が狭窄部２１１を通過しようとする燃焼ガス９２の内部まで貫通して燃焼ガス９２と二次空気との混合が促進されることになる。この結果、未燃成分が残ることなく完全燃焼化され、この完全燃焼による二次燃焼後のＮＯx排出量を可及的に低減させることができるようになる。
【００２９】
一方、各二次空気噴出管８１は一次火炎９１とは相対向することなく位置がずらされているため、一次火炎９１により直接に炙られることがなく、直接に炙られることに起因する熱的耐久性の低下のおそれもない。しかも、たとえ上記各二次空気噴出管８１が一次火炎９１の放射熱や燃焼室２１内の燃焼ガスとの接触に晒されて温度上昇傾向になったとしても、その熱は各二次空気噴出管８１から熱交換器７の多数のフィン７１，７１，…や水管７２に伝熱されて熱交換により冷却されるため、各二次空気噴出管８１が過度に温度上昇することが回避されることになる。これにより、各二次空気噴出管８１の熱的耐久性を損なうことなく、二段燃焼装置全体の耐久性を向上させることができる。併せて、各二次空気噴出管８１の過度の温度上昇を回避し得る結果、各二次空気噴出管８１内の空気も過度に温度上昇することも回避することができ、二次燃焼の場を所定の温度範囲に維持することができる。これにより、過度に高温の二次空気の吹き出しにより二次燃焼の場がより高温化されることに伴いＮＯxが新たに生成されてＮＯx排出量の増大を誘発させるというような事態が発生するおそれを確実に回避することができる。
【００３０】
なお、以上の作用効果を得る上で、各二次空気噴出管８１は熱交換器８と熱的に連結されていればよく、水管７２と接触させる必要はない。例えば図４に示すように水管７２とは接触させなくても、多数のフィン７１，７１，…と結合されていれば十分に伝熱可能であり、各二次空気噴出管８１に対する相対的な冷却効果を得ることができる。さらに、各フィン７１に二次空気噴出管８１を貫通させて全周囲で結合させなくても、各二次空気噴出管８１の外周面一部が各フィン７１と結合されていれば上記の冷却効果を得ることができる。
【００３１】
＜第２実施形態＞
図５は第２実施形態の二段燃焼装置を示す。この第２実施形態は第１実施形態における燃焼缶体２の周壁（燃焼室２１の区画壁）２２を間に隙間２３を挟む二重壁により構成したものである。なお、以下で特に説明しない構成については第１実施形態と同じであり、第１実施形態と同じ符号を図面に付して詳細な説明を省略する。
【００３２】
上記周壁２２は、燃焼室２１に面する区画壁部分である内壁部２２ａ（図６も併せて参照）と、外部に面する区画壁部分である外壁部２２ｂとから形成されている。このような周壁２２は、例えば内側ケースに対し、この内側ケースよりも一回り大きいサイズの外側ケースを外装させることにより容易に形成される。このようにすることにより、底壁２４も内壁部２４ａと外壁部２４ｂとからなる二重壁により形成されることになる。そこで、その外壁部２４ｂに送風ファン１（図１参照）からの送風路を連通させ、供給される空気を隙間２３に流入させるようにする。そして、内壁部２４ａの小孔から各燃焼管６１側に少量の一次空気を供給する一方、隙間２３の上側を複数の二次空気噴出管８１の上流端８１２と連通させて隙間２３を通して供給される空気を各二次空気噴出管８１内に二次空気として供給するようにしたものである。すなわち、隙間２３により二次空気用の空気を各二次空気噴出管８１に供給するための空気通路を形成するようにしたものである。なお、上記各二次空気噴出管８１の他端である下流端８１１（図１参照）もその他端側の二重壁間の隙間と連通させるようにしてもよい。
【００３３】
なお、上記隙間２３は各二次空気噴出管８１に対し二次空気用の空気を供給するための空気通路であるため、図６に示すように各二次空気噴出管８１の端部側の隙間２３の内幅Ｄを他側の内幅ｄよりも大きくすればよい。また、その空気通路の総断面積は、全ての二次空気噴出管８１の噴出口８１３，８１３，…（図３参照）の開口断面積の合計よりも大きくなるように設定する。
【００３４】
この第２実施形態の場合には、第１実施形態による作用効果に加えて、次のような作用効果を得ることができる。すなわち、各二次空気噴出管８１に対する空気供給を二重壁間の隙間２３を通して行うことができるため、その隙間２３の内幅を小さくしても十分な通路断面積を確保することができ、各二次空気噴出管８１に対する供給抵抗の増加を招くことなく燃焼缶体２のコンパクト化を図ることができる上に、均等に空気を供給することができる。又、燃焼室２１に面して高温に晒される内壁部２２ａの背後が新鮮な空気流と常に接触しているため、その内壁部２２ａが過度に高温にならないように冷却することができ、その赤熱化を阻止して燃焼缶体２の耐久性を向上させることができる。加えて、内壁部２２ａと外壁部２２ｂとの間に空気が流される隙間２３が介在されているため、外壁部２２ｂが燃焼室２１からの熱と断熱されることになる。このため、一重壁により構成された場合に付設する必要のある断熱材等の保護被覆を省略することができる。
【００３５】
なお、上記内壁部２２ａ及び／又は外壁部２２ｂから隙間２３に向けて突出する凸部を形成することにより、隙間２３を通して各二次空気噴出管８１に供給される空気を整流させて空気供給のより均一化を図るようにしてもよい。例えば、図７に示すように周方向に延びる凸条２５１，２５１又は突起２５２，２５２を形成したり、図８に示すように上下方向に延びる凸条２５３，２５３，…を形成したりすればよい。
【００３６】
＜第３実施形態＞
図９及び図１０は第３実施形態に係る二段燃焼装置を示す。この第３実施形態は燃焼缶体２と熱交換缶体３との間の接合部位における密着性を高めると共に、両者の組み付け作業性を向上させ、さらには電触防止を図るようにしたものである。なお、以下の説明では第２実施形態の構成を基本にして説明し、特に説明する以外で第２実施形態と同じ構成のものには第２実施形態と同じ符号を付してその詳細な説明を省略する。
【００３７】
この第３実施形態では、燃焼缶体２の周壁２２を構成する内壁部２２ａの上端縁が外方に斜め上方に向けて屈曲する屈曲接合縁２２１とされる一方、この内壁部２２ａに相対向する熱交換缶体３側の周壁３０の下端縁が内方に斜め下方に向けて屈曲する屈曲接合縁３１とされ、両者を上下方向に嵌合させることにより密着状態で接合している。又、上記燃焼缶体２の周壁２２の外壁部２２ｂの上端縁が外方に屈曲されて接合フランジ２２２とされ、熱交換缶体３側にはこの接合フランジ２２２に対し上から当接するように接合フランジ３２が外方に突出するように形成され、両者２２２，３２を上下方向に互いに当接させて接合している。
【００３８】
この場合、燃焼缶体２に対し、熱交換缶体３を上から組み付けていくと、熱交換缶体３の屈曲接合縁３１が燃焼缶体２の屈曲接合縁２２１に内嵌され、この内嵌により両缶体２，３が互いに位置決めされた状態で両接合フランジ２２２，３２同士が当接されることになる。そして、この両接合フランジ２２２，３２同士を溶接して組み付けが完了する。
【００３９】
要するに、燃焼缶体２及び熱交換缶体３の両接合端部の一方を先細り形状にし、他方を外開き形状にして、一方を他方に対し内嵌させることにより密着状態に接合させると同時に、位置決めも行い得るようにしたのである。このため、図９及び図１０の例とは逆に、図１１に示すように、燃焼缶体２側の屈曲接合縁２２１ａを内方に斜め上方に向けて屈曲させる一方、熱交換缶体３側の屈曲接合縁３１ａを外方に斜め下方に向けて屈曲させるようにしてもよい。
【００４０】
さらに、密着性と位置決めを図るものとして、図１２に示す構成を採用するようにしてもよい。すなわち、燃焼缶体２の内壁部２２ａの上端縁の内方側にバネ片２２３を取り付け、熱交換缶体３側の周壁３０の下端縁３３を単に下方に延びるようにする。上記バネ片２２３としては内方側に凸となるよう湾曲した形状とする。この場合には、燃焼缶体２に対し熱交換缶体３を上から下ろしていくと、上記下端縁３３がバネ片２２３に接触して内嵌し、これにより、上記バネ片２２３を外方に若干押圧した状態で密着することになる。このバネ片２２３は同図に点線で示すように僅かに内方側に張り出させて取り付けるようにしてもよい。
【００４１】
また、図１２とは逆に、図１３に示すようにバネ片２２３を上記燃焼缶体２の内壁部２２ａの上端縁の外方側に取り付けるようにしてもよい。この場合には、燃焼缶体２に対し熱交換缶体３を上から下ろしていくと、熱交換缶体３の下端縁３３がバネ片２２３に接触して外嵌し、これにより、上記と同様に上記バネ片２２３を外方に若干押圧した状態で密着することになる。
【００４２】
＜第４実施形態＞
図１４は第４実施形態を示す。この第４実施形態は第１実施形態の構成を基本として各二次空気噴出管８１ａの形状を燃焼室２１の上下流方向に縦長としたものである。
【００４３】
第４実施形態の各二次空気噴出管８１ａは横幅Ｗに比して縦幅Ｈを大きくしたものである。つまり、燃焼ガスの流れ方向の寸法を大きくして、相隣接する２つの二次空気噴出管８１ａ，８１ａ間の狭窄部２１１を燃焼ガスが通過する時間がより長くなるようにしたものである。このような二次空気噴出管８１ａの断面形状としては、矩形、長円形、楕円形等を採用すればよい。
【００４４】
このようにすることにより、各二次空気噴出管８１ａから吹き出される二次空気と、狭窄部２１１を通過する燃焼ガスとの混合時間をより増大させることができ、その混合度合をより増大させることができる。しかも、円形断面の二次空気噴出管８１（図２参照）を用いる場合と比べ、同じ縦幅Ｈを確保する場合に狭窄部２１１の幅をより増大させることができるため、流路抵抗を増加させることなく狭窄部２１１における二次空気の混合量
増大させることができる。
【００４５】
また、この第４実施形態では、図１５に示すように相隣接する２つの二次空気噴出管８１ａ，８１ａにおいてそれぞれの噴出口８１３，８１３，…を互いに位相をずらせた配列にしている。これにより、各二次空気噴出管８１ａから吹き出させる二次空気の全体量を少なくしたとしても狭窄部２１１を通る燃焼ガスに対する二次空気の接触面積を確保することができる。このため、二次空気を供給する送風ファン１（図１参照）の能力を抑制しつつも燃焼ガスに対する二次空気の混合を十分に図ることができる。
【００４６】
なお、上記の相隣接する２つの二次空気噴出管８１ａ，８１ａにおいてそれぞれの噴出口８１３，８１３，…の配列を互いにずらせる態様としては、上記の図１５に示すものに限らず種々の配列の態様を採用し得る。例えば図１６（ａ）に示すように数個ずつの噴出口８１３を一塊りにして形成し、上記の２つの二次空気噴出管８１ａ，８１ａにおいて互いに位相をずらせて配列すればよい。あるいは、図１６（ｂ）に示すように一方の二次空気噴出管８１ａにはＵの字状に噴出口８１３，８１３，…を配列したものを一塊りとして連ね、他方の二次空気噴出管８１ａには逆Ｕの字状に噴出口８１３，８１３，…を配列したものを一塊りとして連ねるようにする。この際、図１６（ｃ）に実線で示すように噴出口８１３，８１３，…をＵの字状に配列した一方の二次空気噴出管８１ａと、同図に点線で示すように噴出口８１３，８１３，…を逆Ｕの字状に配列した他方の二次空気噴出管８１ａとで、両者の噴出口８１３，８１３が互いにずれるようにすればよい。
【００４７】
＜他の実施形態＞
以上の第１〜第４の各実施形態では、各二次空気噴出管８１，８１ａを燃焼管６１の列と平行に延ばして配設した例を説明したが、各二次空気噴出管を燃焼管に対し直交するように延ばして配設することもできる。
【図面の簡単な説明】
【００４８】
【図１】本発明の第１実施形態の二段燃焼装置を示す一部切欠正面図である。
【図２】図１のＡ−Ａ線における拡大断面説明図である。
【図３】図２の部分拡大図である。
【図４】第１実施形態の他の態様を示す図２対応図である。
【図５】第２実施形態を示す部分断面説明図である。
【図６】図５のＢ−Ｂ線における断面説明図である。
【図７】第２実施形態の他の態様を示す図５対応図である。
【図８】図７以外の他の態様を示す図６対応図である。
【図９】第３実施形態を示す図５対応図である。
【図１０】図９の部分拡大図である。
【図１１】第３実施形態の他の態様を示す図１０対応図である。
【図１２】図１１とは異なる第３実施形態の他の態様を示す図１０対応図である。
【図１３】図１１、図１２とは異なる第３実施形態の他の態様を示す図１０対応図である。
【図１４】第４実施形態を示す図２対応図である。
【図１５】図１４のＣ−Ｃ線における断面説明図である。
【図１６】第４実施形態の他の態様を示し、図１６（ａ）及び図１６（ｂ）は部分斜視図であり、図１６（ｃ）は噴出口の配列を示す正面説明図である。
【符号の説明】
【００４９】
１      送風ファン（空気源）
６      燃焼部
７      熱交換器
８      二次空気噴出部
２１    燃焼室
２２    周壁（区画壁）
２３    隙間
６１    燃焼管
７１    フィン
７２    水管（チューブ）
８１，８１ａ    二次空気噴出管
９１    一次火炎
９２    燃焼ガス
２１１  狭窄部
８１３  噴出口
【図１】
2005188838.tif 000003
【図２】
2005188838.tif 000004
【図３】
2005188838.tif 000005
【図４】
2005188838.tif 000006
【図５】
2005188838.tif 000007
【図６】
2005188838.tif 000008
【図７】
2005188838.tif 000009
【図８】
2005188838.tif 000010
【図９】
2005188838.tif 000011
【図１０】
2005188838.tif 000012
【図１１】
2005188838.tif 000013
【図１２】
2005188838.tif 000014
【図１３】
2005188838.tif 000015
【図１４】
2005188838.tif 000016
【図１５】
2005188838.tif 000017
【図１６】
2005188838.tif 000018